(57)【要約】【課題】商品のアピール力を上昇させ、かつそのアピール内容の変更を容易にして、商品の更新・販売促進戦略などに非常に柔軟に対応させることが可能な自動販売機用のダミー体を提供する。【解決手段】半割り状のダミー体本体ｄと、このダミー体本体ｄの胴体部６に固定される広告用シート状体Ｔとを有する自動販売機用のダミー体Ｄであって、前記広告用シート状体Ｔが、前記ダミー体本体ｄの胴体部６前面に沿うように配置される中央部１１と、この中央部１１の左右に連設され、裏面側への折り返しが可能なウイング部１２とを有し、前記ウイング部１２をダミー体本体ｄの胴体部６の左右端部に係止させることにより、広告用シート状体Ｔをダミー体本体ｄの胴体部６に固定するように構成してある。【選択図】　　　図２
0003097048.tif 000002
【実用新案登録請求の範囲】
【請求項１】
半割り状のダミー体本体と、このダミー体本体の胴体部に固定される広告用シート状体とを有する自動販売機用のダミー体であって、前記広告用シート状体が、前記ダミー体本体の胴体部前面に沿うように配置される中央部と、この中央部の左右に連設され、裏面側への折り返しが可能なウイング部とを有し、前記ウイング部をダミー体本体の胴体部の左右端部に係止させることにより、広告用シート状体をダミー体本体の胴体部に固定するように構成してあることを特徴とする自動販売機用のダミー体。
【請求項２】
前記ダミー体本体が、自動販売機の展示部の背面パネルの前面またはダミー体本体を支持する板状体の前面にほぼ沿った状態で配置され、前記垂直部の一部分をダミー体本体の背面部と前記背面パネルまたは板状体とで挟むように構成してある請求項１に記載の自動販売機用のダミー体。
【考案の詳細な説明】
【０００１】
【考案の属する技術分野】
本考案は、例えば、ジュースやコーヒー、ビールなどの缶入りや壜入りの飲料、あるいは、煙草、乾電池等を無人販売するための自動販売機用のダミー体に関する。
【０００２】
【従来の技術】
例えば、各種飲料の自動販売機においては、その前面部に、販売対象とする実物の商品の代わりに展示されるダミー体として、実商品の形状に酷似させた実物大の缶や壜の形に形成されたものが使用されている。
【０００３】
前記自動販売機の上部には展示室が設けられ、展示室の前面は透明パネルによって覆われているとともに、展示室の下方には照明光源が設けられており、また、展示室の内部のパネルには、照明光源の光透過用の開口が複数形成されているのであり、前記ダミー体は、この開口に対して取り付けられる。
【０００４】
そして、新商品など特に販売を促進したい商品に対応させたダミー体については、そのダミー体の前側にある前記透明パネルに商品アピール用のキャッチコピーや図柄等が印刷されたシールを貼ることにより、他のダミー体よりも目立たせるようにしていた。
【０００５】
【考案が解決しようとする課題】
しかし、上記従来の方法では、前記透明パネルに貼ったシールを取り外す作業に手間がかかるという問題があった。
【０００６】
本考案は上述の事柄に留意してなされたもので、その目的は、商品のアピール力を上昇させ、かつそのアピール内容の変更を容易にして、商品の更新・販売促進戦略などに非常に柔軟に対応させることが可能な自動販売機用のダミー体を提供することである。
【０００７】
【課題を解決するための手段】
上記目的を達成するために、本考案の自動販売機用のダミー体は、半割り状のダミー体本体と、このダミー体本体の胴体部に固定される広告用シート状体とを有する自動販売機用のダミー体であって、前記広告用シート状体が、前記ダミー体本体の胴体部前面に沿うように配置される中央部と、この中央部の左右に連設され、裏面側への折り返しが可能なウイング部とを有し、前記ウイング部をダミー体本体の胴体部の左右端部に係止させることにより、広告用シート状体をダミー体本体の胴体部に固定するように構成してある（請求項１）。
【０００８】
上記の構成により、商品のアピール力を上昇させる手段を備え、かつそのアピール内容の変更を容易にして、商品の更新・販売促進戦略などに非常に柔軟に対応させることが可能な自動販売機用のダミー体を提供することができる。すなわち、前記広告用シート体に適宜に着色を施したり、商品アピール用のキャッチコピーや図柄等を直接印刷したり、あるいはそのような印刷を施したものを貼着することにより、ダミー体による商品のアピール力を上昇させることができ、かつ前記シート体を容易に取り換えることができ、ひいては、そのアピール内容も容易に変更できるので、商品の更新・販売促進戦略などに非常に柔軟に対応させることが可能となるのである。
【０００９】
また、前記ダミー体本体が、自動販売機の展示部の背面パネルの前面またはダミー体本体を支持する板状体の前面にほぼ沿った状態で配置され、前記ウイング部の一部分をダミー体本体の背面部と前記背面パネルまたは板状体とで挟むように構成してあるとしてもよい（請求項２）。
【００１０】
この場合には、上述した効果に加えて、前記広告用シート状体のウイング部をダミー体本体と背面パネルあるいは板状体とで挟むことにより、広告用シート状体を静止・安定した非常に良好な状態で保持することが可能となる。
【００１１】
【考案の実施の形態】
以下、この考案の実施例を、図を参照しながら説明する。
図１は、本考案の一実施例に係る自動販売機用のダミー体Ｄを展示する自動販売機１の構成を概略的に示す斜視図、図２は、前記ダミー体Ｄの構成を概略的に示す正面図、図３は、前記ダミー体Ｄの構成を概略的に示す斜視図である。
自動販売機１は、商品補充のために開閉自在に設けられた扉２を前面に有している。この扉２の上部には、ダミー体Ｄ，Ｄ…を展示するための展示部３，３が設けられている。各展示部３の下部には、各ダミー体Ｄに関連付けて商品選択用の押しボタン２ａ，２ａ…が配置され、また、前記自動販売機１の前面下部には、商品取り出し口２ｂが設けられている。なお、２ｃは硬貨投入口、２ｄは紙幣投入口、２ｅは釣り銭口、２ｆは釣り銭返却用の操作レバーである。
【００１２】
前記展示部３の底部には、光透過用の開口（図示せず）が複数設けられており、この開口に前記ダミー体Ｄの下部を挿入することで、ダミー体Ｄの取り付けが行われるのである。そして、取り付けられたダミー体Ｄに対して、各展示部３の下側に配置された光源（図示せず）からの光が、前記開口を経て照射されるのである。
【００１３】
前記ダミー体Ｄは、ダミー体本体ｄと、このダミー体本体ｄの頭部４に取り付けられる広告用シート体（以下、シート体という）Ｓと、前記ダミー体本体ｄの胴体部６に取り付けられるシート状体（以下、シート状体という）Ｔとからなり、ダミー体本体ｄは、例えば、ポリプロピレン（ＰＰ）、ポリカーボネート（ＰＣ）、ポリエチレンテレフタレート（ＰＥＴ）などの透明または半透明の合成樹脂、あるいはこれらの樹脂の再生品などの耐熱性、耐候性、耐老化性に優れた素材を用いて、真空成形または圧空成形によって、まず半割り体を形成し、その後、例えばトムソン法による押切りを行うことによって製作される。
【００１４】
また、前記ダミー体本体ｄは、リシール缶（ボトル缶）タイプの飲料容器に対応する半割り状（後半分を切り落とした形状）をしており、上側から順に、頭部４と、この頭部４の周縁から下方に向けて連設され、下側ほど横幅が大きくなる首部５と、この首部５の下端に連設された胴体部６と、この胴体部６の下側に連設され、前記胴体部６よりも横幅が小さくなる下部７とを有しており、この下部７には、前記開口に挿入される挿入部８が設けられている。
【００１５】
すなわち、前記ダミー体本体ｄでは、前記下部７を左右から手で挟んで挿入部８を弾性変形させた状態とし、その状態の挿入部８を前記展示部３の底部に形成された開口に挿入した後、下部７を挟んでいた手を放すとダミー体本体ｄの下部７の挿入部８が弾性復帰するのであり、これによって前記開口に対するダミー体本体ｄの取り付けが完了することとなる。
【００１６】
図４（Ａ）、（Ｂ）および（Ｃ）はそれぞれ、前記シート体Ｓの構成を概略的に示す説明図である。
前記シート体Ｓは、前記ダミー体本体ｄと同様に、例えば、ポリプロピレン（ＰＰ）、ポリカーボネート（ＰＣ）、ポリエチレンテレフタレート（ＰＥＴ）などの透明または半透明の合成樹脂、あるいはこれらの樹脂の再生品などの耐熱性、耐候性、耐老化性に優れた素材を用いて、例えば、０．２〜０．３ｍｍ程度の厚さに形成される。なお、前記シート体Ｓを、例えば、紙製としてもよい。
【００１７】
そして、前記シート体Ｓは、前記ダミー体本体ｄの天壁４ａに固定される水平部９と、この水平部９とほぼ垂直な方向に立つ垂直部１０とを有している。
【００１８】
前記水平部９は、前記ダミー体本体ｄの天壁４ａの形状に合わせてほぼ半円形状をしている。なお、前記水平部９の形状は、ほぼ半円形状に限るものではない。
【００１９】
前記垂直部１０は、前記水平部９の後端部に屈曲自在に連設されており、その表面には、例えば、適宜の着色や、広告用の図柄、キャッチコピーなどが印刷されているか、または適宜の着色や、広告用の図柄、キャッチコピーなどを印刷したラベルが貼付などの手段により保持されている。。
【００２０】
また、前記垂直部１０は、前記水平部９の後端から上側に延びる上部分１０ａと、この上部分１０ａから側方（例えば、右側）に向けて延びる横部分１０ｂとを有しており、前記上部分１０ａはほぼ１／４円の形状（扇形状）をしており、前記横部分１０ｂはほぼ半円形状をしている。
【００２１】
そして、前記垂直部１０は、横部分１０ｂの大部分が前記ダミー体本体ｄの頭部４の側方（右側）に突出する状態となるように構成してあり、このような構成により、前記頭部４の側方に形成される余分なスペースを広告のために有効に活用することができるのである。
【００２２】
また、正面視において、前記横部分１０ｂの一部分は前記ダミー体本体ｄの頭部４の後ろ側に隠れることとなり、この隠れる部分が、ダミー体本体ｄの背面部と前記背面パネルＰの前面とに挟まれた状態となり、これによってシート体Ｓが安定性よくダミー体本体ｄに取り付けられた状態となるのである。
【００２３】
前記シート体Ｓをダミー体本体ｄに対して取り付けるには、前記水平部９を両面テープや接着剤などで前記天壁４ａの下面に固定するだけでよい。
【００２４】
前記シート状体Ｔは、前記ダミー体本体ｄおよびシート体Ｓと同様に、例えば、ポリプロピレン（ＰＰ）、ポリカーボネート（ＰＣ）、ポリエチレンテレフタレート（ＰＥＴ）などの透明または半透明の合成樹脂、あるいはこれらの樹脂の再生品などの耐熱性、耐候性、耐老化性に優れた素材を用いて、例えば、０．２〜０．３ｍｍ程度の厚さに形成される。なお、前記シート状体Ｔを、例えば、紙製としてもよい。
【００２５】
また、前記シート状体Ｔは、前記ダミー体本体ｄの胴体部６前面に沿うように配置される中央部１１と、この中央部１１の左右に連設され、裏面側への折り返しが可能なウイング部１２，１２とを有し、前記ウイング部１２，１２をダミー体本体ｄの胴体部６の左右端部に係止させることにより、シート状体Ｔをダミー体本体ｄの胴体部６に固定するように構成してある。
【００２６】
そして、前記ダミー体本体ｄの胴体部６の下側に連設される下部７が胴体部６に比して横幅が小さくなっており、下部７が胴体部６に係止されたシート状体Ｔのウイング部１２，１２の下端を保持することから、前記シート状体Ｔは、前記胴体部６に対して安定した状態で取り付けられることとなる。
【００２７】
また、シート状体Ｔの中央部１１には、商品を示す図柄が印刷されているか、または図柄を印刷したラベルが貼付などの手段により保持されている。
【００２８】
上記の構成からなるダミー体Ｄでは、前記シート体Ｓやシート状体Ｔに、適宜に着色を施したり、商品アピール用のキャッチコピーや図柄等を印刷したり、適宜の着色や、広告用の図柄、キャッチコピーなどを印刷したラベルを貼付などの手段により保持させることにより、商品のアピール力を上昇させることができ、かつ前記シート体Ｓおよびシート状体Ｔを容易に取り換えることができ、ひいては、そのアピール内容も容易に変更できるので、商品の更新・販売促進戦略などに非常に柔軟に対応させることが可能となる。
【００２９】
また、シート体Ｓをダミー体本体ｄの頭部４に取り付けることによって、ダミー体Ｄを目立たせることができ、これによっても商品のアピール力を上昇させることが可能となる。
【００３０】
さらに、前記シート体Ｓの垂直部１０の一部分およびシート状体Ｔのウイング部１２，１２を、ダミー体本体ｄの背面部と背面パネルＰとで挟むように構成してあることから、シート体Ｓおよびシート状体Ｔを静止・安定した非常に良好な状態で保持できるのである。
【００３１】
なお、前記シート体Ｓの形状は、上述したものに限られず、例えば、図５（Ａ）に示すように、前記上部分１０ａおよび横部分１０ｂがそれぞれ矩形状または正方形状をしていてもよいのであり、また、図５（Ｂ）に示すように、前記横部分１０ｂを設けず、上部分１０ａのみを設けるようにしてもよい。
【００３２】
さらに、図６（Ａ）、（Ｂ）および（Ｃ）に示すように、前記シート体Ｓを、前記上部分１０ａと、この上部分１０ａの左右に延びる２つの横部分１０ｂ，１０ｂとから構成してもよい。
【００３３】
また、前記ダミー体本体ｄは、展示部３の底部に形成された開口にその下部６を嵌め込んで用いるタイプのものに限られず、例えば、展示部３の背面パネルＰに開口（図示せず）が形成されており、この開口に前側から嵌め込んで用いるタイプのものであってもよく、さらに、この場合、前記ダミー体本体ｄは、背面パネルＰに形成された開口に対して直接嵌め込まれるタイプのものであってもよいし、前記開口に嵌め込まれる板状体（図示せず）を介して前記開口に取り付けるように構成されたタイプのもの（例えば、実願平１０−００８２８９号明細書および図面に示されるダミー体）であってもよい。
【００３４】
ここで、前記背面パネルＰに形成された開口に板状体を介してダミー体本体ｄを取り付けるように構成した場合には、前記シート体Ｓの垂直部１０の一部分およびシート状体Ｔのウイング部１２，１２をダミー体本体ｄの背面部と前記板状体の前面部とで挟むように構成すれば、シート体Ｓおよびシート状体Ｔを静止・安定した非常に良好な状態で保持することが可能となる。
【００３５】
また、前記ダミー体本体ｄは、半割り状（商品の後半分を切り落とした形状）をしたものに限られず、例えば、商品全体の形状を模してあるタイプのものであってもよい。
【００３６】
さらに、前記ダミー体本体ｄとしては、リシール缶（ボトル缶）タイプの飲料容器に対応する形状のものに限られず、例えば、５００ｍＬ入りや２８０ｍＬ入りのペットボトルタイプの飲料容器に対応する形状をしていてもよいし、３５０ｍＬ入りや２５０ｍＬ入りの円筒状の缶タイプの飲料容器に対応する形状をしていてもよい。
【００３７】
また、前記ダミー体本体ｄは、飲料容器に対応する形状のものに限られず、例えば、インスタントカメラに対応する形状をしていてもよいのである。
【００３８】
【考案の効果】
上記の構成からなる本考案によれば、商品のアピール力を上昇させ、かつそのアピール内容の変更を容易にして、商品の更新・販売促進戦略などに非常に柔軟に対応させることが可能な自動販売機用のダミー体を提供することができる。
【００３９】
すなわち、前記シート状体Ｔに、適宜に着色を施したり、商品アピール用のキャッチコピーや図柄等を印刷したり、適宜の着色や、広告用の図柄、キャッチコピーなどを印刷したラベルを貼付などの手段により保持させることにより、商品のアピール力を上昇させることができ、かつ前記シート状体Ｔを容易に取り換えることができ、ひいては、そのアピール内容も容易に変更できるので、商品の更新・販売促進戦略などに非常に柔軟に対応させることが可能となる。
【００４０】
また、前記シート状体Ｔのウイング部１２，１２を、ダミー体本体ｄの背面部と背面パネルＰとで挟むように構成してあることから、シート状体Ｔを静止・安定した非常に良好な状態で保持できるのである。
【図面の簡単な説明】
【図１】本考案の一実施例に係る自動販売機用のダミー体を展示する自動販売機の構成を概略的に示す斜視図である。
【図２】上記実施例の構成を概略的に示す正面図である。
【図３】上記実施例の構成を概略的に示す斜視図である。
【図４】（Ａ）、（Ｂ）および（Ｃ）はそれぞれ、上記実施例におけるシート体の構成を概略的に示す説明図である。
【図５】（Ａ）および（Ｂ）は、前記シート体の変形例および他の変形例の構成を概略的に示す斜視図である。
【図６】（Ａ）、（Ｂ）および（Ｃ）は、前記シート体の別の変形例の構成を概略的に示す斜視図である。
【符号の説明】
６…胴体部、１１…中央部、１２…ウイング部、Ｄ…ダミー体、ｄ…ダミー体本体、Ｔ…広告用シート状体。
【図１】
0003097048.tif 000003
【図２】
0003097048.tif 000004
【図３】
0003097048.tif 000005
【図４】
0003097048.tif 000006
【図５】
0003097048.tif 000007
【図６】
0003097048.tif 000008